(57)【要約】【課題】壁面パネルそのものにフックや棚などの増設機能を付与すること。【解決手段】ユニットハウスの壁面を構成するための壁面パネル同士の連結手段に、増設用建築具を装着可能な増設手段を設ける。より詳細には、他方の壁面パネルの雄側連結具と連結可能な雌側連結具に、屋内側および屋外側のうち少なくとも何れか一方の側を向くように開口した開口空間を、上下方向に連続形成する、レール部を形成し、該レール部に増設用建築具を装着可能に構成する。【選択図】図２
2018193854.tif 000002
【特許請求の範囲】
【請求項１】
ユニットハウスの壁面を構成するための壁面パネルであって、
壁面パネル同士の連結手段に、増設用建築具を装着可能な増設手段を設けた、
ユニットハウス用の壁面パネル。
【請求項２】
前記壁面パネルは、
パネル本体と、
前記パネル本体の一方の側面に設けた、雌側連結具と、
前記パネル本体の他方の側面に設け、前記雌側連結具に対応する、雄側連結具と、を具備し、
前記雌側連結具が、
前記ユニットハウスの屋内側および屋外側のうち少なくとも何れか一方の側を向くように開口した開口空間を、上下方向に連続形成する、レール部を少なくとも有し、
前記レール部を、前記増設手段とした、
請求項１に記載のユニットハウス用の壁面パネル。
【請求項３】
前記雌側連結具が、
前記レール部の開口空間と分離独立して、前記壁面パネルの側面解放側へと開口した、受け部、をさらに有し、
前記雄側連結具が、
前記受け部に差し込み可能な形状を呈する、突出部、をさらに有する、
請求項２に記載のユニットハウス用の壁面パネル。
【請求項４】
ユニットハウスの壁面構造であって、
請求項１乃至３のうち何れか１項に記載の壁面パネルを、柱間に１つ以上設置してなる、壁面体と、
一方の柱に取付けられ、前記壁面体の一方の側端に位置する連結手段と直接または間接的に接続する、第１の端部連結具と、
他方の柱に取付けられ、前記壁面体の他方の側端に位置する連結手段と直接または間接的に接続する、第２の端部連結具と、を少なくとも具備する、
ユニットハウスの壁面構造。
【請求項５】
ユニットハウスの壁面パネル用の連結具であって、
前記壁面パネルのパネル本体側面、または柱に直接または間接的に取付け可能な、固定部と、
前記パネル本体の正面側および背面側のうち少なくとも何れか一方へと開口した開口空間を形成する、レール部と、
前記開口空間と分離独立して、前記壁面パネルの側面解放側へと開口した、受け部と、を少なくとも有し、
前記レール部に、増設用建築具を装着可能とした、
ユニットハウスの壁面パネル用の連結具。
【発明の詳細な説明】
【技術分野】
【０００１】
本発明は、ユニットハウスに使用される壁面パネルおよび壁面構造、ならびに壁面パネル用の連結具に関し、より詳細には、壁面パネルを損傷させることなくフックや棚などの増設が可能な、壁面パネル、壁面構造および連結具に関する。
【背景技術】
【０００２】
ユニットハウスは、住宅、事務所、倉庫または店舗などに用いられる簡易的な建築物である。
一般的なユニットハウスは、規格化された支柱や壁面パネルを箱状に組み立てて建築するものであり、組立作業や分解作業を短時間で実施できるため、仮設の建築物に対して利用されることが多い。
【０００３】
ところで、ユニットハウスは多種多様な用途に使用されることから、ユニットハウスの壁面に棚やフックなどの建築具（以下、「増設用建築具」という。）の設置を要する場合がある。
このとき、前記増設用建築具を、壁面にネジ止めすることが一般的である。
しかし、前記増設用建築具を撤去した後には、壁面にネジ孔が残った状態となるため、見栄えが悪く、ユニットハウスの再利用にあたって支障の一つとなっていた。
【０００４】
前記した課題を解決した一つの方法として、以下の特許文献１に記載の発明がある。
特許文献１には、ユニットハウスの壁体と柱との間の隙間に挿入可能な１組の支柱と、吊下げ用フックを備え、前記一組の支柱間に係合する吊下げ用ハンガーとで構成した、壁面取り付け用吊器具が開示されている。
この壁面取り付け用吊器具を壁体に設置することで、壁面を傷つけることなく吊下げ用フックの増設を可能としている。
【先行技術文献】
【特許文献】
【０００５】
【特許文献１】特開平１０−２２９９３６号公報
【発明の概要】
【発明が解決しようとする課題】
【０００６】
しかし、特許文献１に記載の発明であっても、以下の点で改善の余地があった。
（１）部材点数が増える。
特許文献１に記載の壁面取り付け用吊器具は、ユニットハウスの壁体と柱との間の隙間に挿入させてフック機能を追加するに過ぎない。
よって、ユニットハウスを構成する各材料のほかに、壁面取り付け用吊器具を別途用意しなければならず、材料コストの増加に繋がる。
（２）作業工程が増える。
ユニットハウスの組立作業とは別に、特許文献１に記載の壁面取り付け用吊器具を設置する工程が増えるため、施工コストの増加に繋がる。
（３）高さ調整機能に欠ける。
吊下げ用ハンガーを保持するための保持孔を設けた位置に、取付け箇所が制限される。よって、事後的な高さ調整ができない。
【０００７】
よって、本発明は、工程増に繋がることなく、壁面パネルそのものにフックや棚などの増設機能を付与することが可能な手段の提供を、少なくとも目的の一つとするものである。
【課題を解決するための手段】
【０００８】
上記目的を達成すべくなされた本願の第１発明は、ユニットハウスの壁面を構成するための壁面パネルであって、壁面パネル同士の連結手段に、増設用建築具を装着可能な増設手段を設けたことを特徴とする。
また、本願の第２発明は、前記第１発明において、前記壁面パネルは、パネル本体と、前記パネル本体の一方の側面に設けた、雌側連結具と、前記パネル本体の他方の側面に設け、前記雌側連結具に対応する、雄側連結具と、を具備し、前記雌側連結具が、前記ユニットハウスの屋内側および屋外側のうち少なくとも何れか一方の側を向くように開口した開口空間を、上下方向に連続形成する、レール部を少なくとも有し、前記レール部を、前記増設手段としたことを特徴とする。
また、本願の第３発明は、前記第２発明において、前記雌側連結具が、前記レール部の開口空間と分離独立して、前記壁面パネルの側面解放側へと開口した、受け部、をさらに有し、前記雄側連結具が、前記受け部に差し込み可能な形状を呈する、突出部、をさらに有することを特徴とする。
また、本願の第４発明は、ユニットハウスの壁面構造であって、前記第１発明乃至第３発明のうち何れか１つの発明に記載の壁面パネルを、柱間に１つ以上設置してなる、壁面体と、一方の柱に取付けられ、前記壁面体の一方の側端に位置する連結手段と直接または間接的に接続する、第１の端部連結具と、他方の柱に取付けられ、前記壁面体の他方の側端に位置する連結手段と直接または間接的に接続する、第２の端部連結具と、を少なくとも具備することを特徴とする。
また、本願の第５発明は、ユニットハウスの壁面パネル用の連結具であって、前記壁面パネルのパネル本体側面、または柱に直接または間接的に取付け可能な、固定部と、前記パネル本体の正面側および背面側のうち少なくとも何れか一方へと開口した開口空間を形成する、レール部と、前記開口空間と分離独立して、前記壁面パネルの側面解放側へと開口した、受け部と、を少なくとも有し、前記レール部に、増設用建築具を装着可能としたことを特徴とする。
【発明の効果】
【０００９】
本発明によれば、以下に記載する効果のうち、少なくとも何れか１つの効果を奏する。
（１）壁面パネル同士の連結箇所や、壁面パネルと柱との連結箇所にフックや棚などの増設機能を簡易に持たせることができる。
（２）屋内側だけでなく、屋外側にも増設機能を持たせることができる。
（３）壁面パネルに取付孔を設ける必要が無く、再利用性が向上する。
（４）通常の壁面パネルの設置工程を行うだけでよく、あらたに専用の器具を取り付ける工程が追加になることもない。
（５）レール部が壁面パネルの上下方向に連続形成することで、増設用建築具の設置高さを事後的に調整することができる。
【図面の簡単な説明】
【００１０】
【図１】本発明に係る壁面パネルを一部分解した概略斜視図。
【図２】壁面パネルの連結構造を示す概略斜視図。
【図３】壁面パネルの連結構造を示す概略断面図。
【図４】本発明に係る壁面構造を示す概略平面図。
【図５】第１の端部連結具周辺の構造を示す概略断面図。
【図６】第２の端部連結具周辺の構造を示す概略断面図。
【発明を実施するための形態】
【００１１】
以下、図面を参照しながら、本発明の実施例について説明する。
【実施例】
【００１２】
＜１＞全体構成。
図１は、本実施例に係る壁面パネルの概略分解斜視図である。
本実施例に係る壁面パネルＡは、壁面を構成するパネル本体Ｂと、パネル本体Ｂの両側面に設けた連結手段Ｃを少なくとも具備する。
本実施例に係る壁面パネルＡは、中間省略してある全長を２６３５ｍｍ、横幅を９１２ｍｍ（そのうち、パネル本体Ｂの横幅は８２５ｍｍ）、壁厚を３２ｍｍとしている。
以下、各構成要素の詳細について説明する。
【００１３】
＜２＞パネル本体。
パネル本体Ｂは、ユニットハウスの壁面を構成する、略平板状の部材である。
パネル本体Ｂは、前面壁面を構成するもの、窓や扉を設けたものなど、ユニットハウスの壁面材として想定される種々の構造が含まれる。
本実施例では、パネル本体Ｂとして、全面が壁面である、フラットパネルを想定している。よって、本実施例に係るパネル本体Ｂは、壁面パネル上縁を構成する上枠材１１と、壁面パネル下縁を構成する下枠材１２と、前記下枠材１２の下方に被せるカバー材１３と、壁面パネルの屋内側面を構成する内面材１４と、壁面パネルの屋外側を構成する外面材１５と、前記各枠材１１，１２および各面材１４，１５で囲まれた空間に配する断熱材１６とで構成している。各部材を連結等する際に使用するビス等は図示を省略している。
【００１４】
＜２．１＞上枠材・下枠材。
上枠材１１および下枠材１２は、断熱材１６の上下の枠材（フレーム）を構成する部材である。
上枠材１１および下枠材１２の素材には、鋼板を採用することができる。
上枠材１１および下枠材１２は、ユニットハウスの屋内側および屋外側の縁部を断熱材１６側に折曲してなる、コ字状断面を呈する。
前記断熱材１６を注入ウレタンで構成する際には、上枠材１１および下枠材１２の何れかに注入孔を設けておくこともできる。
【００１５】
＜２．２＞カバー材。
カバー材１３は、地面との接触から壁面パネルＡを保護するための部材である。
カバー材１３は、下枠材１２の下方に断熱材１６を挟み込むように配置する部材であり、ユニットハウスの屋内側および屋外側の縁部を断熱材１６側に折曲してなる、コ字状断面を呈する。
【００１６】
＜２．３＞内面材・外面材。
内面材１４および外面材１５は、壁面パネルＡの屋内外の面材を構成する部材である。
内面材１４および外面１５材の素材には、鋼板を採用することができる。
内面材１４および外面材１５は、両側縁を、断熱材１６側に折曲してなる、コ字状断面を呈する。
この折曲箇所は、後述する連結手段Ｃをパネル本体Ｂに固定するための固定手段としても機能する。
【００１７】
＜２．４＞断熱材。
断熱材１６は、壁面パネルの基部を構成する部材である。
断熱材１６は、成型済みの硬質ボードや、注入ウレタンなど公知の部材を採用することができる。
【００１８】
＜３＞連結手段。
連結手段Ｃは、壁面パネルＡ同士や、柱Ｙなどのその他の部材に壁面パネルＡを連結するための部材である。
【００１９】
＜３．１＞連結機構の形状
連結手段Ｃは、後述する増設手段Ｄを設けることができる範囲で、隣り合う壁面パネルＡで互いに対向する他方の連結手段Ｃと連結可能な種々の形状を採用することができる。
【００２０】
＜３．２＞素材
連結手段Ｃの素材には、金属や樹脂などを採用することができる。
【００２１】
＜３．３＞増設手段
連結手段Ｃには、増設用建築具（図示せず）を装着可能な増設手段Ｄを設けておく。
この増設手段Ｄは、壁面パネルＡの設置後におけるユニットハウスの屋内側および屋外側（パネル本体の正面側および背面側）のうち少なくとも何れか一方の側に設けておく。
増設用建築具には、建築用構造材に取り付け可能なフック、ランナー、ケーブルホルダ−、ブラケット、棚受け材などの公知のアクセサリを含む。
したがって、増設手段Ｄは、前記した様々な増設用建築具を装着するための、様々な機構を採用することができる。
以下、連結手段Ｃの一例について説明する。
【００２２】
＜４＞連結手段の一例
図２に、連結手段Ｃ周辺の構成を示す。
本実施例では、前記パネル本体の両側面に設ける連結手段Ｃについて、一方の連結手段を雌側連結具Ｃ１、他方の連結手段を雄側連結具Ｃ２、として、互いに雌雄結合可能な構造を採用している。
そして、雌側連結具Ｃ１に増設手段Ｄを設けている。
【００２３】
＜４．１＞雌側連結具。
図３に、連結手段Ｃの連結状態を示す。
雌側連結具Ｃ１は、前記壁面パネルＡのパネル本体Ｂの側面に取付け可能な固定部２０と、前記パネル本体Ｂの正面側および背面側のうち少なくとも何れか一方へと開口した開口空間３３を形成するレール部３０と、前記開口空間３１と分離独立して、前記壁面パネルＡの側面解放側へと開口した受け部４０と、を少なくとも有する。
【００２４】
＜４．１．１＞固定部。
固定部２０は、前記壁面パネルＡのパネル本体Ｂ側面に取付ける箇所である。
本実施例では、固定部２０を、内面材１４または外面材１５の折曲箇所を収容して位置決め可能な二箇所の溝によって構成している。
【００２５】
＜４．１．２＞レール部。
レール部３０は、増設用建築具を装着するための箇所である。
本実施例では、レール部３０を、前記固定部２０の近傍から直ちに鉤状を呈するように折曲した第１の鉤部３１と、固定部２０から解放端側に一定距離延伸した後に、固定部２０の側へと折り返すように折曲した第２の鉤部３２で構成しており、このレール部３０を、パネル本体Ｂの正面側および背面側の両方に設けている。
【００２６】
＜４．１．２．１＞開口空間。
開口空間３３は、装着する増設用建築具を保持するための空間である。
本実施例では、第１の鉤部３１と第２の鉤部３２との先端位置が離れた状態を呈しており、この離隔部分を開口として、内部に開口空間３３を形成している。
この開口空間３３を、増設用建築具を装着可能な空間としている。
開口空間３３は、シール性を確保する観点から、壁面パネルＡの高さ方向に連続形成することが一般的だが、本発明では特段限定しない。
【００２７】
＜４．１．３＞受け部。
受け部４０は、隣りあう壁面パネルＡに設けた雄側連結具Ｃ１と連結するための空間である。
本実施例では、受け部４０を、二つの第２の鉤部３２の延伸部分同士で挟まれた空間で構成している。
また、第２の鉤部３２の折り返し部分にテーパ４１を設けておくことで、雄側連結具Ｃ１の導入を案内するように構成している。
【００２８】
＜４．２＞雄側連結具。
再度、図３を参照する。
雄側連結具Ｃ２は、前記壁面パネルＡのパネル本体Ｂの側面に取付け可能な固定部５０と、前記雌側連結具Ｃ１に設けた受け部４０に差し込み可能な形状を呈する突出部６０、を少なくとも備える。
【００２９】
＜４．２．１＞固定部。
固定部５０は、前記壁面パネルＡのパネル本体Ｂの側面に取付ける箇所である。
固定部５０は、前記雌側連結具Ｃ１における固定部２０と同種の構造を採用することができる。
【００３０】
＜４．２．２＞突出部。
突出部６０は、前記雌側連結具Ｃ１の受け部４０に差し込んで連結する箇所である。
突出部６０は、やや先細りとなる形状とし、前記したテーパ４１と合わせて受け部４０への挿入が容易となるように構成することができる。
この突出部６０と受け部４０との連結関係によって、壁面パネルＡ間の隙間を閉塞して、通水や通気を抑制する。
【００３１】
＜５＞壁面構造。
次に、図４〜６を参照しながら、前記壁面パネルを設置してなるユニットハウスの壁面構造について説明する。
図４に示すように、本発明に係るユニットハウスの壁面構造は、前記した壁面パネルＡを、柱間に１つ以上設置してなる、壁面体Ｘと、前記壁面体Ｘと柱Ｙとの連結に用いる端部連結具Ｅとを少なくとも具備してなる。
【００３２】
＜５．１＞壁面体。
壁面体Ｘは、ユニットハウスの壁面をなす部材である。
壁面体Ｘは、前記した壁面パネルＡ単数、または壁面パネルＡを複数連結してなる、構造体である。
【００３３】
＜５．２＞端部連結具。
前記端部連結具Ｅは、壁面体Ｘの側方にある連結手段Ｃが雌側連結具Ｃ１であるか雄側連結具Ｃ２であるかによって、異なる形状を呈するものであり、説明の便宜上、雄側連結具Ｃ２側の端部連結具を第１の端部連結具Ｅ１、雌側連結具Ｃ１側の端部連結具を第２の端部連結具Ｅ２として、以下に説明する。
【００３４】
＜５．２．１＞第１の端部連結具。
図５に、第１の端部連結具Ｅ１周辺の構造を示す。
第１の端部連結具Ｅ１は、壁面体Ｘの側端の連結手段Ｃが、雄側連結具Ｃ２である場合に、別途用意する雌側連結具Ｃ１とともに用いる部材である。
第１の端部連結具Ｅ１は、一端に柱Ｙとの取付部７１と、他端に前記雌側連結具Ｃ１を固定するための収容部７２と、を備える。
【００３５】
＜５．２．１．１＞取付部。
取付部７１は、柱Ｙとの間でのネジ止めやボルト止めなどの公知の取付け機構を採用することができる。
この第１の端部連結具Ｅ１に、別途雌側連結具Ｃ１を取り付けておき、壁面体Ｘの一端にある雄側連結具Ｃ２を、前記雌側連結具Ｃ１に差し込んで連結することで、壁面体Ｘの一端を柱Ｙに連結することができる。
【００３６】
また、取付部７１には、柱Ｙとの接触箇所における屋内側縁部や、屋外側縁部にて、止水性を確保するためのシール部を設けておいてもよい。
【００３７】
＜５．２．１．２＞収容部。
収容部７２は、雌側連結具Ｃ１を、前記固定部２０を介して第１の端部連結具と固定するための部材である。
したがって、収容部７２は、前記したパネル本体Ｂを構成する内面材１４および外面材１５の折曲箇所に対応する形状を呈しておけばよい。
【００３８】
＜５．２．２＞第２の端部連結具。
図６に、第２の端部連結具周辺の構造を示す。
第２の端部連結具Ｅ２は、壁面体Ｘの側端の連結手段Ｃが、雌側連結具Ｃ１である場合に用いる部材である。
第２の端部連結具Ｅ２は、独立した二つに部材から構成し、柱Ｙとの取付部を備えた受け材８０と、前記受け材８０に差し込んで前記雌側連結具Ｃ１と前記受け材８０とを一体化する差し込み材９０と、から構成する。
【００３９】
＜５．２．２．１＞受け材。
受け材８０は、前記壁面体Ｘの他端にある雌側連結具Ｃ１を支持する部材である。
受け材８０は、柱Ｙとの取付部８１と、前記雌側連結具Ｃ１の屋内側の面と接する保持部８２とで略Ｌ字型の形状を呈する部材である。
【００４０】
［取付部］
取付部８１は、前記第１の端部連結具と同様に、柱Ｙとの間でのネジ止めやボルト止めなどの公知の取付け機構や、柱Ｙとの接触箇所における屋内側縁部や、屋外側縁部にて、止水性を確保するためのシール部を設けておくことができる
さらに、取付部８１を有する箇所には、後述する差し込み材９０を差し込み可能な挿入孔８１１を設けておく。
【００４１】
［保持部］
前記保持部８２は、前記雌側連結具Ｃ１と柱Ｙとの間に伸びて、前記雌側連結具Ｃ１と柱Ｙとの間の屋内側の隙間を閉塞するよう構成する。
【００４２】
＜５．２．２．２＞差し込み材
差し込み材９０は、前記受け材８０と前記壁面体Ｘの雌側連結具Ｃ１を連結して固定するための部材である。
差し込み材９０は、前記雌側連結具Ｃ１と受け材８０との間の隙間を閉塞するための蓋部９１と、該蓋部９１の一端から略直交から伸びて前記受け材８０の挿入孔８１１に差し込み可能な挿入部９２と、前記蓋部９１の中間部分から鉤状を呈するように伸びて、差し込み材９０の差し込み後に前記雌側連結具Ｃ１の受け部４０に係止可能な係止部９３と、を備える。
【００４３】
＜５．３＞壁面構造の構築手順例
次に、本発明に係る壁面構造の構築手順の一例について説明する。
なお、これらの手順は作業に矛盾が生じない範囲で適宜手順を入れ換えて実施することもできる。
（１）一方の柱Ｙに第１の端部連結具Ｅ１と、雌側連結具Ｃ１を設置する。
（２）他方の柱Ｙに第２の端部連結具Ｅ２を構成する受け材８０を設置する。
（３）前記雌側連結具Ｃ１に、壁面パネルＡにある雄側連結具Ｃ２を差し込むんで、１枚目の壁面パネルＡを設置する。
（４）順次壁面パネルＡを設置して、壁面体Ｘを構築する。
（５）壁面体Ｘの解放側端部にある雌側連結具Ｃ１と、他方の柱Ｙに取り付けた受け材８０との間に、第２の端部連結具Ｅ２を構成する差し込み材９０を差し込んで両者を固定する。
（６）連結手段Ｃ（雌側連結具Ｃ１）にある増設手段Ｄ（レール部２０）に、フックやランナーなどの増設用建築具を取付けて、適宜棚などの増設を行う。
【００４４】
＜６＞その他の実施例
前記した壁面パネルＡでは、一方の側端に雌側連結具Ｃ１を設け、他方の側端に雄側連結具Ｃ２を設けているが、本発明では上記構成に限定されない。
例えば、壁面パネルＡの両側端に雌側連結具Ｃ１を設けたものと、両側端に雄側連結具Ｃ２を設けたものを交互に連結していく構成であってもよい。
【符号の説明】
【００４５】
Ａ      壁面パネル
Ｂ      パネル本体
Ｃ      連結手段
Ｃ１    雌側連結具
Ｃ２    雄側連結具
Ｄ      増設手段
Ｅ      端部連結具
Ｅ１    第１の端部連結具
Ｅ２    第２の端部連結具
Ｘ      壁面体
Ｙ      柱
１１    上枠材
１２    下枠材
１３    カバー材
１４    内面材
１５    外面材
１６    断熱材
２０    固定部
３０    レール部
３１    第１の鉤部
３２    第２の鉤部
３３    開口空間
４０    受け部
４１    テーパ部
５０    固定部
６０    突出部
７１    取付部
７２    収容部
８０    受け材
９０    差し込み材
【図１】
2018193854.tif 000003
【図２】
2018193854.tif 000004
【図３】
2018193854.tif 000005
【図４】
2018193854.tif 000006
【図５】
2018193854.tif 000007
【図６】
2018193854.tif 000008